(57)【特許請求の範囲】
【請求項１】
所定の排水口が貫通形成された底壁部を有する槽体であって、
前記底壁部の上面には、前記排水口の周囲に位置し、前記排水口側に向けて徐々に下がる勾配部が設けられ、
前記勾配部は、
所定の基本勾配部と、
当該基本勾配部よりも勾配が急な急勾配部と、
前記基本勾配部及び前記急勾配部間に位置する段部とを備え、
前記急勾配部及び前記段部により、前記排水口側に向けて延びる溝部が形成され、
前記溝部は、複数設けられるとともに、前記排水口側から渦巻き状に延びる形状をなすことを特徴とする槽体。
【請求項２】
前記底壁部の上面は、前記排水口の周囲以外の大部分に、前記排水口側に向けて徐々に下がる基調勾配部を備え、
前記基本勾配部の勾配は、前記基調勾配部の勾配と同一であることを特徴とする請求項１に記載の槽体。
【請求項３】
前記溝部は、前記排水口側に向けて徐々に幅が狭くなるように構成されていることを特徴とする請求項１又は２に記載の槽体。
【請求項４】
前記段部は、前記基本勾配部から前記急勾配部に向けて徐々に下がる傾斜面状をなすことを特徴とする請求項１乃至３のいずれか１項に記載の槽体。
【発明の詳細な説明】
【技術分野】
【０００１】
本発明は、排水口が貫通形成された底壁部を有してなる浴槽や洗面器、流し台などの槽体に関する。
【背景技術】
【０００２】
槽体は、例えば、浴槽や洗面器、流し台など水や湯を溜めることが可能に構成されたものであり、その底壁部には排水用の排水口が貫通形成されている。また、従来においては、底壁部の上面を伝わった水が排水口側へとより確実に集まるようにすべく、底壁部の上面における排水口の周囲に傾斜面を設ける手法が知られている（例えば、特許文献１等参照）。
【先行技術文献】
【特許文献】
【０００３】
【特許文献１】特開２０１２−２０５８６２号公報
【発明の概要】
【発明が解決しようとする課題】
【０００４】
ところで、排水時の水切れや泡切れを良好なものとするという観点では、前記傾斜面の傾斜角度を大きくし、前記傾斜面の全域をある程度急勾配とすることが考えられる。しかしながら、このように構成すると、利用者が傾斜面を踏んだ際に滑りやすくなってしまい、安全性の低下を招いてしまうおそれがある。また、傾斜面に物を置いたときに、物が移動しやすく（排水口に落ちやすく）なってしまったり、傾きやすくなってしまったりして使い勝手が悪化してしまうおそれがある。
【０００５】
本発明は、上記事情に鑑みてなされてものであり、その目的は、良好な水切れ等を実現することができるとともに、安全性や使い勝手に優れた槽体を提供することにある。
【課題を解決するための手段】
【０００６】
以下、上記目的を解決するのに適した各手段につき、項分けして説明する。なお、必要に応じて対応する手段に特有の作用効果を付記する。
【０００７】
手段１．所定の排水口が貫通形成された底壁部を有する槽体であって、
前記底壁部の上面には、前記排水口の周囲に位置し、前記排水口側に向けて徐々に下がる勾配部が設けられ、
前記勾配部は、
所定の基本勾配部と、
当該基本勾配部よりも勾配が急な急勾配部と、
前記基本勾配部及び前記急勾配部間に位置する段部とを備え、
前記急勾配部及び前記段部により、前記排水口側に向けて延びる溝部が形成され、
前記溝部は、複数設けられるとともに、前記排水口側から渦巻き状に延びる形状をなすことを特徴とする槽体。
【０００８】
上記手段１によれば、排水口の周囲に位置する勾配部は、基本勾配部と、当該基本勾配部よりも勾配が急な急勾配部と、両勾配部間に位置する段部とを有しており、急勾配部及び段部により排水口側に向けて延びる溝部が形成されている。すなわち、勾配部においては、基本勾配部よりも勾配が急な溝部が排水口側へと延びるように構成されている。従って、排水の最後の段階（底壁部の上面を伝わって水が排水口側へと集まるとき）においては、溝部へと水が集中しやすくなるとともに、その集中した水を排水口側へと比較的勢いよく流すことができる。これにより、水切れや泡切れを良好なものとすることができる。
【０００９】
また、上記作用効果により、次述する各種メリットを得ることができる。すなわち、排水口の周囲に水が長時間残ってしまうことをより確実に防止でき、排水口の周囲における水垢の付着を効果的に抑制することができる。また、ごみや毛髪等の異物が排水口の周囲に残存してしまうことを抑制でき、衛生性を高めることができる。さらに、仮に異物や清掃時の泡が排水口の周囲に残存した場合であっても、比較的少量の水で異物や泡を排水口へとより確実に流すことができ、節水や清掃時間の短縮を図ることができる。
【００１０】
加えて、上記手段１によれば、勾配部には、勾配が比較的緩やかな基本勾配部が存在している。従って、利用者が勾配部における溝部の存在する位置を踏んだとしても、利用者の足裏は、溝部を跨いで、比較的滑りにくい基本勾配部に接触した状態となりやすくなる。つまり、利用者の足裏が、急勾配部のみに接触した状態とはなりにくくなる。さらに、利用者が勾配部を踏んだ際には、段部がいわば滑り止めとしても機能することとなる。これらの結果、利用者が勾配部を踏んだときに滑りにくくなり、優れた安全性を実現することができる。尚、この作用効果は、槽体が浴槽である場合に特に奏されるが、槽体が洗面器や流し台である場合においても同様に奏されることがある。
【００１１】
さらに、基本勾配部が存在することにより、勾配部に物を置いたときに、物が移動しやすく（排水口に落ちやすく）なったり、傾きやすくなったりするといった事態を効果的に抑制することができ、物をより安定した状態で置くことができる。また、槽体にて衣類等を洗濯するような場合には、溝部の存在により、衣類等が排水口を塞ぐようにして勾配部に密着してしまい、排水に支障が生じてしまうといった事態が生じにくくなる。これらの結果、利用者における使い勝手を高めることができる。尚、この作用効果は、槽体が洗面器や流し台である場合に特に奏されるが、槽体が浴槽である場合においても同様に奏され得る。
【００１２】
加えて、上記手段１によれば、水切れや泡切れをより良好なものとすることができる。これにより、上述した各種メリットをより安定的に発揮させることができる。さらに、溝部が複数設けられることで、結果的に、各溝部の幅を比較的狭いものとすることができ、利用者が勾配部を踏んだ際に、足裏が急勾配部のみに接触するといったことがより生じにくくなる。その結果、一層優れた安全性を実現することができる。
【００１３】
また、結果的に、基本勾配部が複数設けられるため、勾配部に物を置いたときにおける物の移動や傾きをより確実に防止することができる。さらに、溝部が複数設けられることで、洗濯時などにおける衣類等による排水阻害が生じにくくなる。これらの結果、使い勝手を一層向上させることができる。
【００１４】
加えて、上記手段１によれば、勾配部における傾斜方向と交差する方向に段部が延びた状態となるため、段部が滑り止めとして一層効果的に機能することとなる。従って、利用者が勾配部を踏んだときに一層滑りにくくなり、安全性をさらに向上させることができる。また、勾配部に物を置いたときにおける物の移動や傾きを一層確実に防止することができ、使い勝手をさらに高めることができる。
【００１５】
さらに、溝部が渦巻き状をなすことで、溝部を見た利用者などに対し、排水が溝部によってスムーズに排水口側へと案内されて流速が上がり、排水性能に優れるといった印象を与えることができる。特に溝部の向きを、排水時に自然に生じる渦の向きと同じものとすることで、利用者などに上記印象をより強く抱かせることができる。
【００１６】
手段２．前記底壁部の上面は、前記排水口の周囲以外の大部分に、前記排水口側に向けて徐々に下がる基調勾配部を備え、
前記基本勾配部の勾配は、前記基調勾配部の勾配と同一であることを特徴とする手段１に記載の槽体。
【００１７】
滑り防止という観点では、底壁部の上面全域を水平面とすることが好ましい。しかし、一般に底壁部の上面における大部分は、排水口側に向けて徐々に下がる一定の勾配を有する連続面とされている。すなわち、底壁部の上面は、その大部分に、基調勾配部を備えた構成とされている。基調勾配部を設けることで、槽体における水残りの防止を図ることができ、また、美観の向上という作用効果をも得ることができる。
【００１８】
ところで、上記のような作用効果が得られる点のみを考慮すれば、底壁部の上面を基調勾配部のみによって構成することが好ましい。しかしながら、このように構成すると、特に排水の最後の段階で水の流れが極端に遅くなってしまい、水切れや泡切れが悪くなってしまうおそれがある。
【００１９】
そこで、底壁部の上面における排水口の周囲に位置する部位を、基調勾配部よりも勾配が急な環状の傾斜面とすることが行われ得る。この急勾配の傾斜面は、通常、比較的狭い範囲にて設けられるが、利用者によって踏まれた際に、勾配が急な分だけ滑りやすい。そのため、安全性の低下を招いてしまうおそれがある。また、急勾配の傾斜面に物を置くことで、その物が移動しやすくなってしまう等の不都合が生じてしまうおそれもある。
【００２０】
この点、上記手段２によれば、底壁部の上面は、排水口の周囲以外の大部分に基調勾配部を備えている。そのため、槽体における水残り防止や美観の向上を図ることができる。また、排水口の周囲に位置する基本勾配部や溝部等によって、上述の通り、良好な水切れや泡切れを実現しつつ、優れた安全性や使い勝手を確保することができる。すなわち、上記手段２によれば、安全性（滑り防止機能）や使い勝手という面において、底壁部上面を基調勾配部のみによって構成した場合と同等又はそれ以上（溝部によって発揮される滑り防止機能による）の性能を実現しつつ、水切れや泡切れという面において、排水口の周囲に基調勾配部よりも勾配が急な環状の傾斜面を設けた場合と同等の性能を得ることができる。
【００２１】
さらに、上記手段２によれば、基調勾配部から基本勾配部にかけて同一面となるため、美観を一層良好なものとすることができる。
【００２２】
手段３．前記溝部は、前記排水口側に向けて徐々に幅が狭くなるように構成されていることを特徴とする手段１又は２に記載の槽体。
【００２３】
上記手段３によれば、溝部は、排水口側に向けて徐々に幅が狭くなるものとされている。従って、排水時（底壁部の上面を伝わって水が排水口側へと集まるとき）において、溝部を流れる水の流速を、排水口側に近づくほど増大させることができる。これにより、排水口側へと水をより勢いよく流すことができ、水切れや泡切れを一層良好なものとすることができる。その結果、排水口の周囲に対する水垢や異物の付着抑制などをより一層確実に図ることができる。
【００２４】
手段４．前記段部は、前記基本勾配部から前記急勾配部に向けて徐々に下がる傾斜面状をなすことを特徴とする手段１乃至３のいずれかに記載の槽体。
【００２５】
上記手段４によれば、排水時において、溝部に対して水がより集中しやすくなり、水切れ等を一段と良好なものとすることができる。
【００２６】
また、上記手段４によれば、基本勾配部から段部にかけての部位は鈍角状に屈曲した状態となる。そのため、利用者が勾配部を踏んだときに痛みを感じるといったことが生じにくくなり、安全性をより向上させることができる。
【００２７】
さらに、段部から急勾配部にかけての部位に関しても鈍角状に屈曲した状態となるため、段部及び急勾配部の境界部分並びにその近傍部分の清掃を容易に行うことが可能となる。その結果、清掃性を向上させることができる。
【図面の簡単な説明】
【００２８】
【図１】浴槽の断面図である。
【図２】第１実施形態における底壁部の構成を示す部分拡大斜視図である。
【図３】第１実施形態における底壁部の構成を示す部分拡大平面図である。
【図４】図３のＪ−Ｊ線断面図である。
【図５】第２実施形態における底壁部の構成を示す部分拡大斜視図である。
【図６】第２実施形態における底壁部の構成を示す部分拡大平面図である。
【図７】図６のＫ−Ｋ線断面図である。
【図８】図６のＬ−Ｌ線断面図である。
【発明を実施するための形態】
【００２９】
以下に、実施形態について図面を参照しつつ説明する。
〔第１実施形態〕
図１に示すように、槽体としての浴槽１は、その底面を構成する底壁部２と、当該底壁部２の外周に立設された側壁部３とを有しており、底壁部２及び側壁部３によって浴槽１の貯水空間５が形成されている。また、底壁部２には、排水口４が貫通形成されており、貯水空間５に溜められた水は、前記排水口４を通って排出可能となっている。尚、図示は省略するが、前記排水口４には、筒状の排水口部材が挿設されており、当該排水口部材に対し、底壁部２の下方において筒状の排水管が接続された状態となっている。これにより、排水口４（前記排水口部材の内周）を通過した排水は、前記排水管内へと流れ込むようになっている。また、浴槽１には、排水口を開閉するための図示しない栓蓋が設けられている。
【００３０】
次いで、底壁部２の詳細な構成について説明する。底壁部２は、その上面に、基調勾配部２１を備えている。
【００３１】
基調勾配部２１は、排水口４の周囲以外の大部分に亘って設けられており、前記排水口４に向けて徐々に下がる緩やかな連続面である。そして、貯水空間５に溜められた水を排出する際の最後の段階においては、基調勾配部２１を伝わって水が排水口４側へと集まるようになっている。すなわち、基調勾配部２１を設けることで、浴槽１における水残りの防止が図られている。また、底壁部２の大部分が滑らかな面となるため、美観の向上という作用効果をも得ることが可能となっている。
【００３２】
このような作用効果が得られる点を考慮すれば、底壁部２の上面を基調勾配部２１のみによって構成することが考えられるが、この場合には、特に排水の最後の段階で水の流れが極端に遅くなってしまい、水切れや泡切れが悪くなってしまうおそれがある。そこで、水切れ等を良好なものとすべく、底壁部２の上面における排水口４の周囲に位置する部位を、基調勾配部２１よりも勾配が急な環状の傾斜面とすることが考えられる。しかし、この場合には、利用者がこの傾斜面を踏んだときに滑りやすくなってしまい、安全性の低下を招いてしまうおそれがある。そこで、本実施形態では、底壁部２の上面に、基調勾配部２１に加えて、勾配部２２が設けられている。
【００３３】
勾配部２２は、排水口４の周囲に位置し、排水口４側に向けて徐々に下がる面であり、図２〜図４に示すように、基本勾配部２２１と、急勾配部２２２と、段部２２３とを備えている。
【００３４】
基本勾配部２２１は、その勾配が基調勾配部２１の勾配と同一とされており、前記基調勾配部２１に連続する傾斜面である。
【００３５】
急勾配部２２２は、その勾配が基本勾配部２２１や基調勾配部２１の勾配よりも急なものとされた傾斜面である。本実施形態では、排水口４の中心軸の周方向に沿って、基本勾配部２２１及び急勾配部２２２が交互に複数形成されている。
【００３６】
段部２２３は、基本勾配部２２１及び急勾配部２２２間に位置しており、両者を連接する部位である。段部２２３は、基本勾配部２２１から急勾配部２２２にかけて徐々に下がる傾斜面状とされている。
【００３７】
そして、急勾配部２２２及び段部２２３によって、排水口４側に向けて延びる溝部２２４が形成されている。本実施形態において、溝部２２４は、複数設けられるとともに、排水口４側から渦巻き状に延びる形状とされている。また、各溝部２２４は、排水口４側に向けて徐々に幅が狭くなるように構成されている。尚、本実施形態において、溝部２２４の向きは、排水時に自然に生じる渦の向きと同じものとなるように構成されている。尚、渦の向きは、浴槽１の形状などによって、通常、ある程度定まることとなる。
【００３８】
以上詳述したように、本実施形態によれば、基本勾配部２２１よりも勾配が急な溝部２２４が排水口４側へと延びるように構成されている。従って、排水の最後の段階（底壁部２の上面を伝わって水が排水口４側へと集まるとき）においては、溝部２２４へと水が集中しやすくなるとともに、その集中した水を排水口４側へと比較的勢いよく流すことができる。これにより、水切れや泡切れを良好なものとすることができる。
【００３９】
また、上記作用効果により、次の各種メリットを得ることができる。すなわち、排水口４の周囲に水が長時間残ってしまうことをより確実に防止でき、排水口４の周囲における水垢の付着を効果的に抑制することができる。また、ごみや毛髪等の異物が排水口４の周囲に残存してしまうことを抑制でき、衛生性を高めることができる。さらに、仮に異物や清掃時の泡が排水口の周囲に残存した場合であっても、比較的少量の水で異物や泡を排水口４へとより確実に流すことができ、節水や清掃時間の短縮を図ることができる。
【００４０】
加えて、勾配部２２には、勾配が比較的緩やかな基本勾配部２２１が存在しているため、利用者が勾配部２２における溝部２２４の存在する位置を踏んだ場合であっても、利用者の足裏は、溝部２２４を跨いで、比較的滑りにくい基本勾配部２２１に接触した状態となりやすくなる。つまり、利用者の足裏が、急勾配部２２２のみに接触した状態とはなりにくくなる。さらに、利用者が勾配部２２を踏んだ際には、段部２２３がいわば滑り止めとしても機能することとなる。これらの結果、利用者が勾配部２２を踏んだときに滑りにくくなり、優れた安全性を実現することができる。
【００４１】
さらに、基本勾配部２２１が存在することにより、勾配部２２に物を置いたときに、物が移動しやすく（排水口に落ちやすく）なったり、傾きやすくなったりするといった事態を効果的に抑制することができ、物をより安定した状態で置くことができる。また、衣類等を洗濯するような場合には、溝部２２４の存在により、衣類等が排水口４を塞ぐようにして勾配部２２に密着してしまい、排水に支障が生じてしまうといった事態が生じにくくなる。これらの結果、利用者における使い勝手を高めることができる。
【００４２】
また、溝部２２４が複数設けられることで、水切れや泡切れをより良好なものとすることができる。これにより、上述した各種メリットをより安定的に発揮させることができる。さらに、溝部２２４が複数設けられることで、結果的に、各溝部２２４の幅を比較的狭いものとすることができ、利用者が勾配部２２を踏んだ際に、足裏が急勾配部２２２のみに接触するといったことがより生じにくくなる。その結果、一層優れた安全性を実現することができる。
【００４３】
併せて、基本勾配部２２１が複数設けられるため、勾配部２２に物を置いたときにおける物の移動や傾きをより確実に防止することができる。さらに、溝部２２４が複数設けられることで、洗濯時などにおける衣類等による排水阻害が生じにくくなる。これらの結果、使い勝手を一層向上させることができる。
【００４４】
加えて、溝部２２４が渦巻き状をなすため、勾配部２２における傾斜方向と交差する方向に段部２２３が延びた状態となる。そのため、段部２２３が滑り止めとして一層効果的に機能することとなる。従って、安全性をさらに向上させることができる。また、勾配部２２に物を置いたときにおける物の移動や傾きを一層確実に防止することができ、使い勝手をさらに高めることができる。
【００４５】
さらに、溝部２２４が渦巻き状をなすことで、溝部２２４を見た利用者などに対し、排水が溝部２２４によってスムーズに排水口４側へと案内されて流速が上がり、排水性能に優れるといった印象を与えることができる。特に本実施形態では、溝部２２４の向きが排水時に自然に生じる渦の向きと同じものとなるように構成されているため、利用者などに上記印象をより強く抱かせることができる。
【００４６】
併せて、基調勾配部２１が設けられることで、上記の通り、浴槽１における水残り防止や美観の向上を図ることができる。尚、上記の通り、底壁部２の上面を基調勾配部２１のみによって構成すると、水切れや泡切れが悪くなってしまい、また、水切れ等を考慮して、排水口４の周囲に位置する部位を勾配が急な環状の傾斜面とすると、安全性の低下を招いてしまうおそれがあるが、本実施形態によれば、基本勾配部２２１や溝部２２４等を設けることにより、基調勾配部２１を設けることによる上記作用効果を維持しつつ、良好な水切れ等や優れた安全性及び使い勝手が実現されている。すなわち、本実施形態によれば、安全性（滑り防止機能）や使い勝手という面において、底壁部２上面を基調勾配部２１のみによって構成した場合と同等又はそれ以上（溝部２２４によって発揮される滑り防止機能による）の性能を実現しつつ、水切れや泡切れという面において、排水口４の周囲に基調勾配部２１よりも勾配が急な環状の傾斜面を設けた場合と同等の性能を得ることが可能となっている。
【００４７】
さらに、本実施形態では、基調勾配部２１から基本勾配部２２１にかけて同一面となるため、美観を一層良好なものとすることができる。
【００４８】
また、溝部２２４は、排水口４側に向けて徐々に幅が狭くなる形状であるため、排水時（底壁部２の上面を伝わって水が排水口４側へと集まるとき）において、溝部２２４を流れる水の流速を、排水口４側に近づくほど増大させることができる。これにより、排水口４側へと水をより勢いよく流すことができ、水切れや泡切れを一層良好なものとすることができる。その結果、排水口４の周囲に対する水垢や異物の付着抑制などをより一層確実に図ることができる。
【００４９】
さらに、段部２２３は、基本勾配部２２１から急勾配部２２２にかけて徐々に下がる傾斜面状であるため、排水時において、溝部２２４に対して水がより集中しやすくなり、水切れ等を一段と良好なものとすることができる。また、基本勾配部２２１から段部２２３にかけての部位は鈍角状に屈曲した状態となるため、利用者が勾配部２２を踏んだときに痛みを感じるといったことが生じにくくなり、安全性をより向上させることができる。併せて、段部２２３から急勾配部２２２にかけての部位に関しても鈍角状に屈曲した状態となるため、段部２２３及び急勾配部２２２の境界部分並びにその近傍部分の清掃を容易に行うことが可能となる。その結果、清掃性を向上させることができる。
〔第２実施形態〕（但し、参考例）
次いで、第２実施形態について説明する。本第２実施形態において、底壁部２は、図５〜図８に示すように、基調勾配部２１及び勾配部２５を備えている。勾配部２５は、上記第１実施形態と同様に、基調勾配部２１と同一勾配の基本勾配部２５１と、当該基本勾配部２５１よりも勾配が急な急勾配部２５２と、基本勾配部２５１及び急勾配部２５２間に位置する段部２５３とを備えている。
【００５０】
そして、上記第１実施形態と同様、急勾配部２５２及び段部２５３によって複数の溝部２５４が形成されている。但し、本第２実施形態において、溝部２５４は、上記第１実施形態とは異なり、排水口４側から放射状に延びる形状とされている。より詳しくは、各溝部２５４は、排水口４の中心軸に向けて直線状に延びる形状をなしている。そして、各溝部２５４は、排水口４側に向けて徐々に幅が狭くなるように構成されている。
【００５１】
以上、本第２実施形態によれば、上記第１実施形態とほぼ同様の作用効果が得られることとなる。すなわち、水切れや泡切れを非常に良好なものとすることができるとともに、優れた安全性を実現することができる。また、水切れや泡切れが良好となることにより、衛生性の向上や節水、清掃時間の短縮等の各種メリットを得ることができる。
【００５２】
尚、上記実施形態の記載内容に限定されず、例えば次のように実施してもよい。勿論、以下において例示しない他の応用例、変更例も当然可能である。
【００５３】
（ａ）上記実施形態では、槽体として浴槽１を例示しているが、本発明の技術思想を適用可能な槽体は浴槽に限定されるものではない。従って、例えば、洗面器やキッチンの流し台などに対して本発明の技術思想を適用することとしてもよい。
【００５４】
（ｂ）上記実施形態において、勾配部２２，２５には、溝部２２４，２５４が複数設けられているが、勾配部において溝部が１つのみ存在するように構成してもよい（但し、参考例）。
【００５５】
（ｃ）上記第１実施形態において溝部２２４は渦巻き状をなし、上記第２実施形態において溝部２５４は放射状をなしているが、渦巻き状の溝部と放射状の溝部とが混在するように構成してもよい。例えば、排水口４の中心軸の周方向に沿って、渦巻き状の溝部と放射状の溝部とが交互に存在するように構成してもよい。すなわち、複数の溝部を設けた場合、各溝部の形状をそれぞれ同一とする必要はない。
【００５６】
（ｄ）上記第２実施形態において、溝部２５４は、排水口４の中心軸に向けて延びる直線状をなしているが、溝部を排水口４の内周の接線方向に延びる直線状としてもよい（但し、参考例）。
【符号の説明】
【００５７】
１…浴槽（槽体）、２…底壁部、４…排水口、２１…基調勾配部、２２，２５…勾配部、２２１，２５１…基本勾配部、２２２，２５２…急勾配部、２２３，２５３…段部、２２４，２５４…溝部。
【図１】
0006744620.tif 000002
【図２】
0006744620.tif 000003
【図３】
0006744620.tif 000004
【図４】
0006744620.tif 000005
【図５】
0006744620.tif 000006
【図６】
0006744620.tif 000007
【図７】
0006744620.tif 000008
【図８】
0006744620.tif 000009